【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  生物学的サンプルを受容して電気化学的セルに一定の電圧が印加される時に前記生物学的サンプルにより形成される一定の静電容量を有する電気化学的セルに電気的に接続されるように構成されている電子回路であって、
前記電気化学的セルの帯電および放電により生じる電圧入力信号を受信するように構成されており、さらに当該電圧入力信号を前記セルの静電容量に比例する一定の発振電圧出力信号に変換するシュミット・トリガー回路を有するように構成されている発振回路を備えている、電子回路。
【請求項２】
請求項１記載の電子回路であって、
前記静電容量に基づいて前記サンプルの量の値を導出するための手段をさらに備えている、電子回路。
【請求項３】
請求項２記載の電子回路であって、
前記発振電圧信号に基づいて前記サンプル中の１種類以上の分析物の測定における前記量の適性を決定するための手段をさらに備えている、電子回路。
【請求項４】
請求項３記載の電子回路であって、
前記量が不適当な場合、前記１種類以上の分析物測定に対して補正を行なうための手段をさらに備えている、電子回路。
【請求項５】
請求項１記載の電子回路であって、
前記シュミット・トリガー回路に電気的に接続されている抵抗をさらに備えている、電子回路。
【請求項６】
電気化学的セルを有する電気化学的な試験片上に置かれた生物学的サンプルの量を決定するキットであって、前記キットは請求項１記載の少なくとも１つの電子回路を備えている、キット。
【請求項７】
請求項６記載のキットであって、
前記電子回路がその中に一体化されている自動化装置をさらに備えている、キット。
【請求項８】
請求項７記載のキットであって、
前記電子回路および前記自動化装置を使用するための指示をさらに備えている、キット。
【請求項９】
請求項１記載の電子回路であって、
前記シュミット・トリガー回路と電気的に接続された電流供給手段をさらに備えている、電子回路。
【請求項１０】
請求項１記載の電子回路であって、
前記静電容量は前記セルの等価静電容量である、電子回路。
【請求項１１】
請求項１記載の電子回路であって、
前記発振電圧信号の発振周期は前記セルの静電容量に直接的に比例する、電子回路。
【請求項１２】
請求項１記載の電子回路であって、
前記発振電圧信号の発振周波数は前記セルの静電容量に反比例する、電子回路。
【請求項１３】
生物学的サンプルを受容して電気化学的セルに一定の電圧が印加される時に前記生物学的サンプルにより形成される一定の静電容量を有するように構成されている電気化学的セルを受容するための計器と、
前記セルの静電容量を形成し、前記電気化学的セルを帯電させる前記電気化学的セルに電気的に接続可能に構成されているＤＣ電圧供給手段と、
前記計器と一体に構成されており、さらに前記電気化学的セルに電気的に接続可能に構成されている電子回路を備えており、前記回路が前記電気化学的セルの帯電および放電により生じる電圧入力信号を受信するように構成され、さらに前記電圧入力信号を一定の発振電圧出力信号に変換するように構成されている発振回路を備えており、前記発振電圧出力信号の発振周期が前記セルの静電容量に比例している、システム。
【請求項１４】
請求項１３記載のシステムであって、
前記電気回路は前記発振回路に電気的に連結しているマイクロプロセッサーさらに備え、前記生物学的サンプルの量を決定するように構成されている、システム。
【請求項１５】
電気化学的セルに供給される生物学的サンプルの量を決定するための方法であって、
請求項１３記載のシステムを備える工程と、
一定のＤＣ電圧を前記セルに印加することにより前記セルを帯電させる工程であって、一定の静電容量が前記セルの中に形成されて、一定の電圧が前記セルを帯電させることにより発生する、工程と、
前記帯電させられた電圧を前記静電容量に比例する一定の周波数を有する発振電圧に変換する工程とを含む、方法。
【請求項１６】
電気化学的セル内の生物学的サンプルの量を決定するためのキットであって、
請求項１３記載のシステムと、
前記システムを使用するための指示とを備えている、キット。
【請求項１７】
請求項１６記載のキットであって、
生物学的サンプルの１種類以上の物理的または化学的な特性を測定するための前記電気化学的セルを操作可能に受容してこれと係合するように構成されている前記システムと一体化された自動化装置をさらに備えている、キット。
【請求項１８】
表面積および量を持つ電気化学的セル内の生物学的サンプルの量を決定するシステムであって、
前記電気化学的セルに第１の電圧を供給するように構成された電圧供給手段と、
前記第１の電圧が前記セルに供給される時に、前記セルにより発生させられる第２の電圧を測定するための手段と、
前記第２の電圧を一定の発振電圧に変換するための手段と、
前記発振電圧から前記セルの静電容量を導出するための手段と、
前記セルの静電容量から前記生物学的サンプルの量を導出するための手段とを備えている、システム。
【請求項１９】
請求項１８記載のシステムであって、
前記サンプルの量が前記生物学的サンプル中の１種類以上の選択された分析物の濃度の正確な測定に適しているか否かを決定するための手段をさらに備えている、システム。
【請求項２０】
請求項１９記載のシステムであって、
前記生物学的サンプル中の１種類以上の選択された分析物の濃度を測定する手段と、
前記サンプルの量が不適正である場合に、前記１種類以上の選択された分析物の濃度測定を補正するための手段とをさらに備えた、システム。
【請求項２１】
請求項２０記載のシステムであって、
前記生物学的サンプル中の１種類以上の選択された分析物の前記測定された濃度を表示するための手段をさらに備えた、システム。
【請求項２２】
請求項１８記載のシステムであって、
前記量を導出するための手段は、前記セルの静電容量から前記生物学的サンプルにより被覆されている前記セルの表面積を導出する手段を備え、前記表面積から前記量を導出する手段をさらに備えている、システム。
【請求項２３】
電気化学的バイオセンサーに供給される生物学的サンプルの量を決定するための方法であって、
一定の直流電圧を前記バイオセンサーに印加することにより前記バイオセンサーを帯電させる工程であって、一定の静電容量が前記バイオセンサーの中に形成されて、一定の電圧が前記バイオセンサーを帯電させることにより発生する、工程と、
前記電圧を前記静電容量に比例する一定の周期を有する発振電圧に変換する工程と、
前記バイオセンサーの静電容量を決定する工程と、
前記静電容量から前記サンプルの量を決定する工程とを備えている、方法。
【請求項２４】
請求項２３記載の方法であって、
前記サンプルの量が前記サンプル中の１種類以上の選択された特性に適しているか否かを決定する工程をさらに備えている、方法。
【請求項２５】
請求項２４記載の方法であって、
前記サンプルの量が不適正である場合、前記１種類以上の選択された特性の測定を補正するために必要な補正係数を決定する工程と、
前記サンプルの少なくとも１種類の特性を測定する工程と、
前記不適正なサンプルの量を補正する工程とをさらに備えている、方法。
【請求項２６】
請求項２５記載の方法であって、
前記サンプルの少なくとも１種類以上の特性が前記サンプル中の１種類以上の分析物の濃度である、方法。
【請求項２７】
請求項２５記載の方法であって、
前記必要な補正係数を決定する工程は、前記不適正なサンプル量により充填されている前記バイオセンサーの前記静電容量に対する、前記サンプルにより完全に充填されている場合の前記バイオセンサーの静電容量の比率を決定する工程を備えている、方法。
【請求項２８】
請求項２４記載の方法であって、
前記量の決定は前記生物学的サンプルに接触している前記バイオセンサーの部分の表面積を前記静電容量から決定する工程を備え、前記表面積から前記量を決定する工程をさらに備えている、方法。
【請求項２９】
請求項２３記載の方法であって、
前記量を決定する工程は、前記決定された静電容量に基づいて、前記生物学的サンプルに接触している前記バイオセンサーの部分の表面積を決定する工程を備えている、方法。
【請求項３０】
請求項２９記載の方法であって、
前記電気化学的バイオセンサーが一定のセル容積を有する電気化学的セルを形成している少なくとも２個の電極を備えており、前記決定された表面積が前記生物学的サンプルにより被覆されている前記少なくとも２個の電極の表面積である、方法。
【請求項３１】
請求項２３記載の方法であって、
前記直流電圧の平均が約０ｍＶ乃至６００ｍＶの範囲内である、方法。
【請求項３２】
生物学的サンプルを受容するように構成されている電気化学的セルに電気的に接続するように形成された電子回路であって、
ＤＣ電圧を前記電気化学的セルに供給する手段であって、前記ＤＣ電圧が供給される時に、前記電気化学的セルが静電容量を生成させる、手段と、
前記電気化学的セルにより生じる信号を受信する手段と、
前記信号を前記セルの静電容量に比例した発振信号に変換する手段とを備えている、電子回路。
【請求項３３】
請求項３２記載の電子回路であって、
前記信号変換手段はシュミット・トリガー回路である、電子回路。
【請求項３４】
請求項３２記載の電子回路であって、
前記セルの静電容量に基づいて前記サンプルの量の値を導出するための手段をさらに備えている、電子回路。
【請求項３５】
請求項３４記載の電子回路であって、
前記発振信号に基づいて前記サンプル中の１種類以上の分析物の測定における前記量の適正を決定するための手段をさらに備えている、電子回路。
【請求項３６】
請求項３５記載の電子回路であって、
前記量が不適正であると決定された場合に前記１種類以上の分析物測定を補正するための手段をさらに備えている、電子回路。
【請求項３７】
請求項３２記載の電子回路であって、
前記発振信号の発振周期が前記セルの静電容量に比例している、電子回路。
【請求項３８】
請求項３２記載の電子回路であって、
前記発振信号の発振周波数が前記セルの静電容量に反比例している、電子回路。
【請求項３９】
生物学的サンプルを受容するための電気化学的セルに電気的に接続するように形成され、前記電気化学的セルに電圧を供給する場合に、前記生物学的サンプルにより形成される一定の静電容量を有するように構成される電子回路であって、
前記電気化学的セルの帯電および放電により生じる電圧入力信号を受信するように構成され、前記電圧入力信号を前記セルの静電容量に比例する発振電圧出力信号に変換するための比較回路を備えた発振回路を備えている、電子回路。
【請求項４０】
請求項３９記載の電子回路であって、
前記セルの静電容量に基づいて前記サンプルの量の値を導出するための手段をさらに備えている、電子回路。
【請求項４１】
請求項４０記載の電子回路であって、
前記発振電圧信号に基づいて前記サンプル中の１種類以上の分析物の測定における前記量の適正を決定するための手段をさらに備えている、電子回路。
【請求項４２】
請求項４１記載の電子回路であって、
前記量が不適正であると決定された場合に前記１種類以上の分析物測定を補正するための手段をさらに備えている、電子回路。
【請求項４３】
請求項３９記載の電子回路であって、
前記比較回路に電気的に接続されている抵抗をさらに備えている、電子回路。
【請求項４４】
請求項３９記載の電子回路であって、
前記比較回路に電気的に接続されている電流供給手段をさらに備えている、電子回路。
【請求項４５】
請求項３９記載の電子回路であって、
前記静電容量は前記セルの等価静電容量である、電子回路。
【請求項４６】
請求項３９記載の電子回路であって、
前記発振電圧信号の発振周期は前記セルの静電容量に直接的に比例する、電子回路。
【請求項４７】
請求項３９記載の電子回路であって、
前記発振電圧信号の発振周波数は前記セルの静電容量に反比例する、電子回路。